(57)【要約】  本発明は、中心接着剤供給チャンネル（１５）と前記チャンネルに対して垂直な出口（１６、１７）とを備える接続挿入体に関する。本発明の接続挿入体は、複数の部品から成り、接着剤供給チャンネル（１５）が設けられた内側部品（１０）と、コンポーネントの穿孔穴内に少なくとも部分的に挿入可能な外側スリーブ（１２）とを備える。【選択図】  図１
2008538401.tif 000002
【特許請求の範囲】
【請求項１】
中心接着剤供給チャンネル（１５）とこれに対して垂直に配置された出口開口（１６、１７）とを備える接続挿入体において、
複数の部品で構成されるとともに、接着剤供給チャンネル（１５）を有する内側部品（１０）と、
コンポーネントの穿孔穴内に少なくとも部分的に挿入可能な外側スリーブ（１２）と
を有することを特徴とする接続挿入体。
【請求項２】
前記内側部品（１０）及び前記外側スリーブ（１２）のみから成ることを特徴とする、請求項１に記載の接続挿入体。
【請求項３】
前記内側部品（１０）が少なくとも一端にヘッド（１３）を有し、このヘッド（１３）の少なくとも一部が、コンポーネントの穿孔穴又は凹部内に形状ロック状態で及び／又は強制ロック状態で挿入できることを特徴とする、請求項１又は２に記載の接続挿入体。
【請求項４】
前記内側部品（１０）の前記ヘッド（１３）に輪郭が施されていることを特徴とする、請求項３に記載の接続挿入体。
【請求項５】
前記ヘッド（１３）の外周面が銛型ウェブ（１４）を有することを特徴とする、請求項４に記載の接続挿入体。
【請求項６】
前記ヘッド（１３）には前記銛型ウェブ（１４）が取り囲む態様で配置されており、これらのウェブが、一部の領域にわたって延び、或いは、前記内側部品（１０）の長手中心軸の方向に延びていることを特徴とする、請求項５に記載の接続挿入体。
【請求項７】
前記外側スリーブ（１２）の内面と前記内側部品（１０）の外面との間には環状の隙間（２５）が設けられていることを特徴とする、請求項１に記載の接続挿入体。
【請求項８】
前記内側部品（１０）の前記ヘッド（１３）には、少なくとも１つの、好ましくは２つの互いに正反対の接着剤出口開口（２０）が設けられていることを特徴とする、請求項３に記載の接続挿入体。
【請求項９】
前記接着剤出口開口（２０）が、前記内側部品（１０）の長手方向に延びるスロット型態様で構成されていることを特徴とする、請求項８に記載の接続挿入体。
【請求項１０】
前記内側部品（１０）が、互いに離間した態様で延びる複数の径方向溝（１８）及び／又は長手中心軸の方向に延びる溝を外周面に有することを特徴とする、請求項１に記載の接続挿入体。
【請求項１１】
前記内側部品（１０）には、前記ヘッド（１３）の範囲外に、少なくとも１つの接着剤出口開口、好ましくは２つの互いに正反対の接着剤出口開口（１６、１７）が設けられていることを特徴とする、請求項３に記載の接続挿入体。
【請求項１２】
前記接着剤出口開口（１６、１７）が、前記内側部品（１０）のシャフト（１１）の中央流域に配置されていることを特徴とする、請求項１１に記載の接続挿入体。
【請求項１３】
前記接着剤供給チャンネル（１５）が２つのセクション（１５ａ、１５ｂ）に分けられ、１つのセクションだけが径方向に延びる前記接着剤出口開口（１６、１７）の領域へと延びていることを特徴とする、請求項１〜１２のいずれか一項に記載の接続挿入体。
【請求項１４】
前記内側部品（１０）には、前記ヘッド（１３）から離れて面する側に、ロックリング（１９）が設けられていることを特徴とする、請求項１〜１３のいずれか一項に記載の接続挿入体。
【請求項１５】
前記外側スリーブ（１２）の内面が、長手方向に延びる窪み及び隆起の形態を成す輪郭として構成されていることを特徴とする、請求項１〜１４のいずれか一項に記載の接続挿入体。
【請求項１６】
前記外側スリーブ（１２）には、前記内側部品（１０）の前記ヘッド（１３）に面する端部領域に複数のスロット（２３）が設けられていることを特徴とする、請求項１〜１５のいずれか一項に記載の接続挿入体。
【請求項１７】
前記外側スリーブ（１２）の外面には、少なくとも端部領域に、接着剤のための柔軟な保持要素（２９）が設けられていることを特徴とする、請求項１に記載の接続挿入体。
【請求項１８】
前記保持要素（２９）が、前記外側スリーブ（１２）の外面に面する端部領域で、前記外側スリーブ（１２）の外面に対して径方向及び／又は接線方向に延びることを特徴とする、請求項１７に記載の接続挿入体。
【請求項１９】
前記保持要素（２９）が、前記外側スリーブ（１２）の長手中心軸に対して径方向に配置されるとともに、全長にわたって或いはほぼ全長にわたって且つ全周にわたって延びていることを特徴とする、請求項１７に記載の接続挿入体。
【請求項２０】
前記保持要素（２９）の長さが、前記外側スリーブ（１２）の中央領域から端部領域に向かって好ましくは連続的に増大していることを特徴とする、請求項１９に記載の接続挿入体。
【請求項２１】
前記保持要素（２９）が、剛毛やストリップ等として構成されるとともに、全周に沿って対応する領域にわたって分布されていることを特徴とする、請求項１７〜２０のいずれか一項に記載の接続挿入体。
【請求項２２】
前記外側スリーブ（１２）には、複数の円形の開口又は円形形状から逸脱する開口が設けられていることを特徴とする、請求項１〜２１のいずれか一項に記載の接続挿入体。
【請求項２３】
前記接着剤供給チャンネル（１５）が師板や有孔板などによって覆われていることを特徴とする、請求項１〜２２のいずれか一項に記載の接続挿入体。
【請求項２４】
前記内側部品（１０）及び前記外側スリーブ（１２）がそれぞれカップ形状の構造を成し、これらから形成される接続挿入体を偏心金具（２６）によってコンポーネントに対して固定できることを特徴とする、請求項１に記載の接続挿入体。
【請求項２５】
前記外側スリーブ（１２）に対して伸縮自在に配置可能な延長スリーブ（３１）が前記外側スリーブ（１２）に押し付けられることを特徴とする、請求項１に記載の接続挿入体。
【請求項２６】
前記延長スリーブ（３１）が、軸方向に延びるスロット（３３）をその自由前面の領域（３２）に備えるとともに、波形状の構造を成し或いは径方向鋸歯状部を備えることを特徴とする、請求項２５に記載の接続挿入体。
【発明の詳細な説明】
【技術分野】
【０００１】
本発明は、請求項１のプレアンブルに係る接続挿入体に関する。
【背景技術】
【０００２】
この接続挿入体は、コンポーネントをボードに対して固定するために使用され、これらのボードは好ましくは軟質の内側コアと硬質のカバーボードとを有する。これらのボードは一般に軽量ボードと呼ばれている。接続挿入体には、中心接着剤供給チャンネルと、チャンネルに対して垂直な接着剤用の出口とが設けられている。好ましい構造において、前述したボード形状のコンポーネントは、家具の製造のために他の用途のうちで使用される。接続挿入体は、接着剤が接続挿入体に到達し且つ接続挿入体がボードの固定領域と固定的接続を形成するように接着剤を誘導するために使用される。しかしながら、接続挿入体の端部領域がボード形状のコンポーネントの穿孔穴又は凹部内に挿入され、それにより、それらが接着接続をサポートすることも考えられる。
【発明の開示】
【発明が解決しようとする課題】
【０００３】
既に知られた接続挿入体の不都合は、接着剤の誘導が正確に規定されず、それにより、実際の接着接続が行われるべき地点に接着剤が到達しないといったことが頻繁に起こるという点である。しかしながら、接着剤は半流動体と見なされるため、すなわち、接着剤の粘度は比較的高いため、正確な誘導が必要とされる。
【０００４】
本発明の目的は、冒頭で説明したタイプの接続挿入体であって、注入された接着剤の正確な誘導が確保され、それにより、接着剤接続が所定の場所で行われる接続挿入体を設計することである。
【課題を解決するための手段】
【０００５】
この目的は、接続挿入体が複数の部品から成るとともに接着剤供給チャンネルを有する内側部品と内側部品を取り囲む外側スリーブとを備えるという点において達成される。
【０００６】
接着剤は、適当な装置により前側から接続挿入体内に配置される。内側部品の外面及び外側スリーブの内面は、目標とする接着剤の誘導が実現可能となるように設計されていてもよい。特に、使用目的に応じて、目標とする接着剤接続が達成されるように外側スリーブを設計することができる。外側スリーブは、接着剤の分配をもたらすため、分配スリーブ又は接着剤誘導スリーブと呼ぶこともできる。
【０００７】
最も簡単な構造において、本発明に係る接続挿入体は、内側部品及び外側スリーブのみから成る。その場合には、外側スリーブの内面と内側部品の外面との間に環状の隙間が設けられる。
【０００８】
接続挿入体と隣接するコンポーネントとの間の接着剤接続、例えばボードに対する接続を補強するため、内側部品が少なくとも一端にヘッドを有し、このヘッドの少なくとも一部は、コンポーネントの穿孔穴又は凹部内に形状ロック状態で及び／又は強制ロック状態で挿入できる。内側部品のヘッドとコンポーネントとの接続は、穿孔穴又は凹部を画定する材料中にヘッドの隆起部分が食い込むようにヘッドの外周面に輪郭が施されるという点において特に簡単な方法で行うことができる。これは、関連するコンポーネントが木材又は木材のような材料から成るため可能になる。特に有利な形態では、外周面の輪郭を銛型ウェブによって形成することができ、それにより、内側部品を穿孔穴内又は凹部内に一方向で圧入することができるが、反対方向での引き抜きは、穿孔穴又は凹部を画定する材料部分を破壊することによってのみ可能となる。互いに離間する銛型ウェブは、内側部品のヘッドに対して取り囲む形態で成形されてもよく、また、これらのウェブは、外周の特定の一部の領域にわたって延びていてもよく、或いは、内側部品の長手中心軸の方向に延びていてもよく、そのため、最後の実施形態では、それに対応して、ねじれを防止する保護が行われる。
【０００９】
穿孔穴又は凹部を画定する面に対して内側部品のヘッドを接着するために、内側部品のヘッドには、少なくとも１つの、好ましくは２つの正反対の接着剤出口開口が設けられる。１又は複数の接着剤出口開口は、便宜上、スロット形状に成形されるとともに、内側部品の長手方向軸の方向に延びている。
【００１０】
内側部品のシャフトの全長にわたる一体的な接着も可能にするために、内側部品は複数の互いに離間する径方向溝を外周面に有することが提供される。接着剤がこれらの径方向溝を通り抜けることもできるように、ヘッドの範囲外の内側部品に少なくとも１つの接着剤出口開口、好ましくは２つの互いに正反対の接着剤出口開口を設けることが提供される。その結果、接着剤は、各接着剤出口開口を通じて、内側部品の外面と外側スリーブの内面との間の環状の隙間に到達することができる。接着剤が内側部品のシャフトの端部領域に到達することもできるように、各接着剤出口開口がシャフトの中央領域に配置される。
【００１１】
接着剤は、内側部品の接着剤供給チャンネル内へ前側からのみ圧入することができる。このチャンネル内に残存する接着剤の量が制限されるように、接着剤供給チャンネルが２つのセクションに分けられるとともに、１つのセクションだけが接着剤出口開口の領域へと延びている。外側スリーブを固定するため、内側部品には、ヘッドから離れて面する側にロックリングが設けられており、このロックリングは、外側スリーブを内側部品上に対して逆さまに配置できる圧縮力の作用の結果として変形が行われるように設計されていることが提供される。また、接着剤の側方分配も行われる。内側部品のシャフトの全長又は全高にわたって且つ外側部品の内面にわたって接着剤を分配できるように、外側スリーブの内面は、長手方向に延びる窪み及び隆起の形態を成す輪郭として構成されている。すなわち、窪み及び隆起は、内側部品のシャフトの径方向溝に対して垂直に延びている。
【００１２】
また、内側部品と外側スリーブとの結合又はスナップ結合を容易にするため、外側スリーブには、内側部品のヘッドに面する端部領域に複数のスロットが設けられていることが提供される。また、接着剤が供給される際には、接着剤がスロットから出現し、これが接着剤接続に対してプラスの影響を与える。
【００１３】
接着剤供給は、通常、加圧下で行われる。特に、外側スリーブは、目標となる形態で端部領域へと接着剤が圧入されることから、接着剤誘導要素と呼ぶことができる。この圧力の低減後、接着剤が外側スリーブの中央領域へ逆流することが起こり得る。これを防止するため、外側スリーブの外面には、少なくとも端部領域に、接着剤のための柔軟な保持要素が設けられていることが提供される。これらの保持要素は、それらが対応する当接部を形成するように設計されている。保持要素は様々な方法で配置されてもよい。したがって、保持要素は、外側スリーブの外面に面する端部領域で、外側スリーブの外面に対して径方向又は接線方向に延びていることが提供される。保持要素を端部領域に配置すれば十分であるが、他の実施形態において、保持要素は、外側スリーブの長手中心軸に対して径方向に配置されるとともに、外側スリーブの全長にわたって或いはほぼ全長にわたって延びていることが提供される。この場合、保持要素の長さは、外側スリーブの中央領域から端部領域に向かって好ましくは連続的態様で増大する。その結果、同様に、凹部と見なすことができる外形が長手方向断面に対して作成される。保持要素は、便宜上、剛毛やストリップ等として構成される。
【００１４】
また、一方で接着剤の量を釣り合わせるため、他方で不純物が接着剤供給チャンネル内に侵入しないようにするため、接着剤供給チャンネルは師板又は有孔板を端部領域に有することが提供される。用途に応じて、円形であり或いは円形形状から逸脱する形状を有する複数の開口を外側スリーブに設けることが都合良い。
【００１５】
接続挿入体の適用範囲は様々である。したがって、外側部品及び内側部品のそれぞれがカップ形状の構造を成し、一般的に知られた偏心金具によって家具コンポーネント又は家具リーフに対して接続挿入体を固定できることが提供される。
【００１６】
接続挿入体は、金具などを例えばネジによって締結するため、ダボと呼ばれてもよい。
【００１７】
添付図面によって本発明を更に詳しく説明する。
【発明を実施するための最良の形態】
【００１８】
図１〜図７に示される接続挿入体は、以下で詳しく説明する内側部品１０と、内側部品１０のシャフト１１上に嵌合でき且つ以下で詳しく説明する外側スリーブ１２とから成る。また、内側部品１０の一端には、その外周面に輪郭が施されたヘッド１３が備えられている。この輪郭は、特に図２及び図３に示されるように、幾つかの銛型ウェブ１４から成る。内側部品１０には、２つのセクション１５ａ、１５ｂから成る接着剤供給チャンネル１５が設けられている。特に図３に示されるように、接着剤供給チャンネル１５の２つのセクション１５ａ、１５ｂは１つの壁によって互いに分離されている。また、チューブ形状の内側部品１０には、互いに正反対の２つの接着剤出口開口１６、１７が設けられている。これらの接着剤出口開口は、長楕円形の穴として形成されるとともに、接着剤だけがセクション１５ａから外側へと通り抜けることができるように配置されている。
【００１９】
図１〜図３に示されるように、内側部品１０のシャフト１１は、シャフトの外側面に加工され且つ互いに対して離間される幾つかの径方向溝１８も有する。また、図は、内側部品１０がヘッド１３と反対側の位置にロックリング１９を備え、それにより、シャフト１１上に嵌合される外側スリーブ１２の脱落が防止されることも示している。この外側スリーブ１２は、プラスチック材料の形状弾性特性及び材料弾性特性に起因して変形することができ、それにより、外側スリーブ１２を内側部品１０上に逆さまに配置することができる。
【００２０】
図１及び図２に示されるように、ヘッド１３の領域において、内側部品１０には、互いに正反対の２つのスロット型開口２０も設けられており、これらの開口を通じて接着剤がヘッド１３を接着するために出現する。
【００２１】
図４〜図６は、カバー層２１、２２を有する軽量ボードとカバー層間に配置された接続挿入体との配置を示している。このために、外側スリーブ１２が内側部品１０のシャフト１１上に対して押し付けられる。その結果、接着剤を接着剤供給チャンネル１５のセクション１５ａ内に圧入することができるとともに、接着剤が径方向接着剤出口開口１６、１７を突き抜け、ひいては、外側スリーブ１２の内面とシャフト１１の外面との間の環状の隙間２５内へ接着剤が分配される。外側スリーブ１２の端部領域に設けられたスロットにより接着剤の流出が確保され、それにより、接着剤が目標とする態様で軽量ボードのカバー層と接触する。外側スリーブ１２をシャフト１１と一体に固定するため、外側スリーブ１２には、内側部品１０のヘッド１３に当てがわれる側で長手方向に延びるスロット２３が設けられている。
【００２２】
図４に係る実施形態では、ロックリング１９がカバー層２２の割り当てられた表面上に支持されており、一方、図５に係る実施形態では、ロックリング１９が係合する凹部２４がカバー層２２に設けられている。図４及び図５は、穿孔穴を画定するカバー層の材料中にヘッド１３の銛ウェブ１４が食い込んでいる状態を示している。さらに接着して固定されている。
【００２３】
図６は、図４及び図５に係る配置を切り開いた状態で示している。この図は、シャフト１１の外面と外側スリーブ１２の内面との間に環状の隙間２５が形成され、接着剤がこの環状の隙間２５内を流れてカバー層２１、２２の内側面上に堆積される状態を示している。
【００２４】
図７は、軽量ボード内にコーナー接続金具を固定するための変形例を示している。内側部品１０及び外側スリーブ１２はそれぞれカップ状の構造を有する。接着剤の誘導は、図１〜図６の説明に類似しており、詳しく示されていない。また、支持は、一般的に知られる偏心金具２６によって行われる。また、ボード２８の穿孔穴内にダボ２７が挿入されており、ボード２８は他のコンポーネント３０に取り付けられている。
【００２５】
図８〜図１０は、剛毛やストリップなどの形態を成す保持要素２９が外側スリーブ１２の外面上に配置される実施形態を示している。これらの図は、接着剤が外側スリーブ１２の端部領域内へ圧力によって押し込まれる状態を示している。この圧力を低減すると、一部だけであり比較的少量のみであるが、接着剤が逆流する可能性がある。これを防止するため、図８に係る実施形態では、略径方向に延びる保持要素２９が外側スリーブ１２の端部領域に配置される。また、図９に係る実施形態においても、保持要素２９が端部領域に固定される。この実施形態では、外側スリーブ１２の外面と対向する少なくとも端部領域が接線方向に或いは略接線方向に延びている。
【００２６】
図１０に係る実施形態において、保持要素２９は、本質的に、外側スリーブ１２の全長にわたって及び全周にわたって分布されている。これらの保持要素は、先と同様に、外側スリーブ１２の長手中心軸に対して径方向に配置されている。しかしながら、長手方向断面図では、保持要素２９の長さが中央領域から端部領域に向かって連続的に増大しているため、凹形状の外形が得られる。好ましい実施形態において、保持要素２９は例えばプラスチック材料から成る剛毛である。
【００２７】
図１１は、これまでに説明した構造とは異なり、接続挿入体の有効長を変えることができる本発明の一実施形態を示している。
【００２８】
これは、外側スリーブ１２上にわたって伸縮自在に移動可能に嵌合される延長スリーブ３１によって達成される。図１１に係る接続挿入体の残りの構造は、基本的に前述した変形例に対応している。すなわち、前述した外側スリーブ１２は、接着剤供給チャンネル１５を有する内側部品１０のシャフト１１上に配置されている。
【００２９】
前述したように、伸縮自在に移動できる延長スリーブ３１はこの外側スリーブ１２に押し込まれ、延長スリーブ３１は外側スリーブ１２に対して装置全体の軸方向に移動でき、それにより、接続挿入体の全長を、簡単な方法で変えることができるとともに、異なる厚さの軽量ボードに適合させることができる。
【００３０】
延長スリーブ３１には、その自由前側端部３２に、軸方向に延びるスロット３３が設けられており、これらのスロット３３を通じて接着剤が外側へ通り抜けることができる。
【００３１】
そこから偏位して、延長スリーブ３１には、接着剤出口穿孔穴が前側領域に設けられてもよい。また、延長スリーブ３１の面を波形状に構成し或いは延長スリーブに径方向鋸歯状部を設けて接着剤の流出を可能にすることも考えられる。
【００３２】
本発明は、説明した実施形態に限定されない。基本的に、接続挿入体は、複数の部品、好ましくは２つの部品から構成されるとともに、内側部品１０及び外側スリーブ１２の形態を成している。また、接着剤供給チャンネル１５、接着剤出口開口１６、１７、径方向溝１８、環状の隙間２５によって、接着剤の誘導が正確に規定されることが重要である。
【図面の簡単な説明】
【００３３】
【図１】本発明の接続挿入体の内側部品及び外側スリーブの詳細な分解斜視図である。
【図２】内側部品の正面図である。
【図３】内側部品の断面図である。
【図４】２つのカバー層間に配置された接続挿入体の第１の実施形態の図である。
【図５】２つのカバー層間に配置された接続挿入体の第２の実施形態の図である。
【図６】ボードの２つの離間するカバー層間に配置された接続挿入体の切り開いた図である。
【図７】偏心金具と組み合わせた本発明に係る接続挿入体の図である。
【図８】保持要素を備える接続挿入体の実施形態の図である。
【図９】保持要素を備える接続挿入体の実施形態の図である。
【図１０】保持要素を備える接続挿入体の実施形態の図である。
【図１１】本発明の他の実施形態に係る接続挿入体の断面図である。
【符号の説明】
【００３４】
１０…内側部品、１１…シャフト、１２…外側スリーブ、１３…ヘッド、１４…銛型ウェブ、１５…接着剤供給チャンネル、１５ａ、１５ｂ…セクション、１６、１７…接着剤出口開口、１８…径方向溝、１９…ロックリング、２０…開口、２１、２２…カバー層、２３…スロット、２４…凹部、２５…環状の隙間、２６…偏心金具、２７…ダボ、２８…ボード、２９…保持要素、３０…コンポーネント、３１…延長スリーブ、３２…端部、３３…スロット。
【図１】
2008538401.tif 000003
【図２】
2008538401.tif 000004
【図３】
2008538401.tif 000005
【図４】
2008538401.tif 000006
【図５】
2008538401.tif 000007
【図６】
2008538401.tif 000008
【図７】
2008538401.tif 000009
【図８】
2008538401.tif 000010
【図９】
2008538401.tif 000011
【図１０】
2008538401.tif 000012
【図１１】
2008538401.tif 000013
【手続補正書】
【提出日】平成19年12月12日(2007.12.12)
【手続補正１】
【補正対象書類名】図面
【補正対象項目名】図６
【補正方法】変更
【補正の内容】
【図６】
2008538401.tif 000014
【手続補正２】
【補正対象書類名】図面
【補正対象項目名】図７
【補正方法】変更
【補正の内容】
【図７】
2008538401.tif 000015
【国際調査報告】
2008538401.tif 000016
2008538401.tif 000017
2008538401.tif 000018
2008538401.tif 000019
2008538401.tif 000020
2008538401.tif 000021